(57)【特許請求の範囲】
【請求項１】
箸、スプーン、フォークの本体部と一体化された持ち手部４Ａに、切りかき部５と切りかき部を埋める蓋６を設けた透明な樹脂で構成された食事用具において、蓋６の四方側面に縁７を設けた凹状の面を形成し、切りかき部５の表面に宣伝部８と広告部９とバーコード部１０を印刷し、切りかき部５に蓋６を合わせ超音波溶着又は接着剤を用いて一体化することを特徴とする持ち手部分を広告スペースとして用いる広告宣伝入り食事用具。
【請求項２】
箸、スプーン、フォークの本体部と一体化された持ち手部４Ｂに、空洞部１１と空洞部に挿入する円柱部１２と蓋１３を設けた透明な樹脂で構成された食事用具において、円柱部１２の印刷面とする部分にマイナスの段差を設け宣伝部８と広告部９とバーコード部１０を印刷し、空洞部１１に円柱部１２を挿入した後、持ち手部４Ｂの空洞部１１側開放面に蓋１３を超音波溶着又は接着剤を用いて一体化することを特徴とする持ち手部分を広告スペースとして用いる広告宣伝入り食事用具。
【請求項３】
箸、スプーン、フォークの本体部と一体化された持ち手部４Ｃに、空洞部１４と空洞部に挿入する角柱部１５と蓋１６を設けた透明な樹脂で構成された食事用具において、角柱部１５の印刷面とする部分にマイナスの段差を設け宣伝部８と広告部９とバーコード部１０を印刷し、空洞部１４に角柱部１５を挿入した後、持ち手部４Ｃの空洞部１４側開放面に蓋１６を超音波溶着又は接着剤を用いて一体化することを特徴とする持ち手部分を広告スペースとして用いる広告宣伝入り食事用具。
【請求項４】
箸、スプーン、フォークの本体部と一体化された蓋１７と蓋１７と適合する開口部（入り口）を有する持ち手部４Ｄに、入り口が広く後端部が狭いテーパー状の空洞部１８と空洞部のテーパーに適合させた角柱部１９とで構成された透明な樹脂の食事用具において、角柱部１９の印刷面とする部分に宣伝部８と広告部９とバーコード部１０を印刷し、空洞部１８に角柱部１９を挿入した後、本体部と一体化された蓋１７と蓋１７と適合する開口部（入り口）を有する持ち手部４Ｄとを超音波溶着又は接着剤を用いて一体化することを特徴とする持ち手部分を広告スペースとして用いる広告宣伝入り食事用具。
【請求項５】
円柱部１２又は角柱部１５のバーコード部１０の印刷箇所を、円柱部１２又は角柱部１５の挿入方向と反対の側面１０Ａや蓋１３又は蓋１６の内部（４Ｂ又は４Ｃに接する面）にバーコード部１０Ｂとして移動して印刷したことを特徴とする請求項２又は請求項３に記載の持ち手部分を広告スペースとして用いる広告宣伝入り食事用具。
【発明の詳細な説明】
【技術分野】
【０００１】  本発明は、食事をする際に必要な箸、スプーン、フォークを広告媒体として利用可能とする技術に関するものである。
【背景技術】
【０００２】  従来より、食器類や食器類の袋、箸の袋の一部に宣伝文句や広告部分を設けた技術が知られている。【０００３】  特許文献１には、食品容器及びその関連物品あるいはそれらの包装物における、それらの構成物品の中の２個以上の物品に、統一したコンセプトからなる広告８０を付し、かつ上記広告のうち少なくとも一つをバーコード８２を含む広告とした、食品容器及びその関連物品の広告手段が提案されている。この方法は、食材が触れる面についてはプラスチックシートに、あらかじめ広告等を印刷したＣＰＰ又はＯＰＰフイルムをサーマルラミネート方式にてラミネートを施し、その後、真空または熱板成形によって容器成形する。また、容器本体の食材が触れない面については上記の方法に加えシートに広告を直接印刷し成形することもできる。また真空成形、熱板成形等によって成形後、直接・印刷を施したり印刷されたシールを貼ることもできる方法を採用し、食材が触れる面についてはプラスチックシートに、あらかじめ広告等を印刷したＣＰＰ又はＯＰＰフイルムをサーマルラミネート方式にてラミネートを施し食品衛生法の問題点を解決する方法であるが、複雑な工程処理を必要とする点と、全ての広告手段が食事後に廃棄されるという問題点がある。【０００４】  特許文献２には、長手方向端部が開口された短冊状の袋体１０が形成され、袋体の長手方向の端部に表紙の他端縁から袋体内部に割り箸を抜き差しさせるための開口部１３が形成されると共に、裏紙の長手方向の端部に開口部から長手方向に延長した延長紙片部３１が形成され、この裏紙に形成された延長紙片部の表面及び／又は裏面にＱＲコードを含む二次元バーコードＣが表示されている、割り箸用箸袋が提案されている。この方法は、裏紙３に形成された延長紙片部３１の表面及び裏面の両面に表示されるもので、即ち、表紙２と裏紙３とが重なり合った部分は袋体１０に形成されるため、割り箸９の抜き差しによって膨らみや皺が生じ易くなるが、裏紙３に形成された延長紙片部３１は袋体１０に形成されていないため、膨らみや皺が生じ難く二次元バーコードＣの表示場所として最適であり、皺寄りや折れ曲りが少ない状態で二次元バーコードＣを表示させることができ、結果として携帯電話機のバーコードリーダを用いて正確に読み取らせることができる優れた方法であるが、広告手段が食事後に廃棄されるという問題点がある。【０００５】  特許文献３には、対をなす箸１１はプラスチック類で成形されており、その基端側において箸置き部１２に薄肉の連結部１３を介して連結されている。そして箸置き部１２の表面には、広告主の社名や利用される飲食店の店名１４等がプリント又は成形時に一体的に形成したり、別途作製したシール類が貼付されている。１５は箸置き用の溝である、食器類が考案されている。この方法は、対をなす箸１１を連結部１３で分離できるため食品衛生法の問題点を解決できる優れた方法であるが、広告手段が食事後に廃棄されるという問題点がある。【０００６】  そして従来の広告手段では、食品衛生法の問題点を解決するため箸、スプーン、フォーク本体以外の場所に広告手段を設けているため、広告手段が食事後に廃棄され広告媒体としての継続性が確保できない共通的��題点があった。【０００７】
【特許文献１】特開２００７−０３３５４６号公報
【特許文献２】特開２００８−２８６８１７号公報
【特許文献３】実用新案登録第３１３５６７７号公報
【発明の開示】
【発明が解決しようとする課題】
【０００８】  そこで本発明は、二次元バーコードを確実に読み取ると共に、食品衛生法の問題点を解決し、洗浄して再利用可能な広告媒体として継続性が確保される形態の、持ち手部分を広告スペースとして用いる広告宣伝入り食事用具を提供することを目的とする。
【課題を解決するための手段】
【０００９】  上記の課題を達成するため、請求項１に記載した持ち手部分を広告スペースとして用いる広告宣伝入り食事用具は、箸、スプーン、フォークの本体部と一体化された持ち手部４Ａに、切りかき部５と切りかき部を埋める蓋６を設けた透明な樹脂で構成された食事用具において、蓋６の四方側面に縁７を設けた凹状の面を形成し、切りかき部５の表面に宣伝部８と広告部９とバーコード部１０を印刷し、切りかき部５に蓋６を合わせ超音波溶着又は接着剤を用いて一体化することを特徴としている。【００１０】  この発明に使用する持ち手部分は、切りかき部を設けた本体と切りかき部を埋める蓋により構成され、切りかき部５の表面に宣伝部８と広告部９とバーコード部１０を印刷しているため、従来の印刷面のように、汚れ、かすれの発生がなく、二次元バーコードを確実に読み取ることができ、広告宣伝認識率が向上し、食品衛生法の問題点を解決すると共に、洗浄して再利用可能な形態にでき、持ち帰る食事用具として提供できる。【００１１】  請求項２に記載の持ち手部分を広告スペースとして用いる広告宣伝入り食事用具では、箸、スプーン、フォークの本体部と一体化された持ち手部４Ｂに、空洞部１１と空洞部に挿入する円柱部１２と蓋１３を設けた透明な樹脂で構成された食事用具において、円柱部１２の印刷面とする部分にマイナスの段差を設け宣伝部８と広告部９とバーコード部１０を印刷し、空洞部１１に円柱部１２を挿入した後、持ち手部４Ｂの空洞部１１側開放面に蓋１３を超音波溶着又は接着剤を用いて一体化することを特徴とする持ち手部分を広告スペースとして用いる広告宣伝入り食事用具。【００１２】  この発明に使用する持ち手部分は、空洞部を設けた本体と空洞部に挿入する部材と蓋により構成され、空洞部に挿入する部材の外曲面にマイナスの段差を設け、宣伝部と広告部とバーコード部を印刷しているため、挿入時に印刷面の損傷もなく、従来の印刷面のように、汚れ、かすれの発生がなく、二次元バーコードを確実に読み取ることができ、広告宣伝認識率が向上し、食品衛生法の問題点を解決すると共に、洗浄して再利用可能な形態にでき、持ち帰る食事用具として提供できる。【００１３】  請求項３に記載の持ち手部分を広告スペースとして用いる広告宣伝入り食事用具では、箸、スプーン、フォークの本体部と一体化された持ち手部４Ｃに、空洞部１４と空洞部に挿入する角柱部１５と蓋１６を設けた透明な樹脂で構成された食事用具において、角柱部１５の印刷面とする部分にマイナスの段差を設け宣伝部８と広告部９とバーコード部１０を印刷し、空洞部１４に角柱部１５を挿入した後、持ち手部４Ｃの空洞部１４側開放面に蓋１６を超音波溶着又は接着剤を用いて一体化することを特徴とする持ち手部分を広告スペースとして用いる広告宣伝入り食事用具。【００１４】  この発明に使用する持ち手部分は、空洞部を設けた本体と空洞部に挿入する部材と蓋により構成され、空洞部に挿入する部材の外平面にマイナスの段差を設け、宣伝部と広告部とバーコード部を印刷しているため、挿入時に印刷面の損傷もなく、従来の印刷面のように、汚れ、かすれの発生がなく、二次元バーコードを確実に読み取ることができ、広告宣伝認識率が向上し、食品衛生法の問題点を解決すると共に、洗浄して再利用可能な形態にでき、持ち帰る食事用具として提供できる。【００１５】  請求項４に記載の持ち手部分を広告スペースとして用いる広告宣伝入り食事用具では、箸、スプーン、フォークの本体部と一体化された蓋１７と蓋１７と適合する開口部（入り口）を有する持ち手部４Ｄに、入り口が広く後端部が狭いテーパー状の空洞部１８と空洞部のテーパーに適合させた角柱部１９とで構成された透明な樹脂の食事用具において、角柱部１９の印刷面とする部分に宣伝部８と広告部９とバーコード部１０を印刷し、空洞部１８に角柱部１９を挿入した後、本体部と一体化された蓋１７と蓋１７と適合する開口部（入り口）を有する持ち手部４Ｄとを超音波溶着又は接着剤を用いて一体化することを特徴とする持ち手部分を広告スペースとして用いる広告宣伝入り食事用具。【００１６】  この発明に使用する持ち手部分は、テーパー状の空洞部１８とテーパーに適合させた角柱部１９により、空洞部に挿入する部材の外平面にマイナスの段差を設けることなく印刷でき、挿入時に印刷面の損傷もなく、従来の印刷面のように、汚れ、かすれの発生がなく、二次元バーコードを確実に読み取ることができ、広告宣伝認識率が向上し、食品衛生法の問題点を解決すると共に、洗浄して再利用可能な形態にでき、持ち帰る食事用具として提供できる。【００１７】  請求項５に記載の持ち手部分を広告スペースとして用いる広告宣伝入り食事用具では、円柱部１２又は角柱部１５のバーコード部１０の印刷箇所を、円柱部１２又は角柱部１５の挿入方向と反対の側面１０Ａや蓋１３又は蓋１６の内部（４Ｂ又は４Ｃに接する面）にバーコード部１０Ｂとして移動して印刷したことを特徴とする請求項２又は請求項３に記載の持ち手部分を広告スペースとして用いる広告宣伝入り食事用具。【００１８】  この発明は、限られた表示面を有効に使用するため、空洞部に挿入する部材本体側面や蓋にバーコード部を移動したもので、二次元バーコードを確実に読み取ることができ、さらなる広告宣伝効果の向上が期待できる。
【発明の効果】
【００１９】  以上説明したように請求項１の発明によれば、切りかき部５の表面に宣伝部８と広告部９とバーコード部１０を印刷しているため、洗浄して再利用可能な形態にでき、広告媒体としての継続性の問題や二次元バーコードの誤認識の問題や食品衛生法の問題点を解決できる。【００２０】  請求項２の発明によれば、空洞部に挿入する部材の外曲面にマイナスの段差を設け、宣伝部と広告部とバーコード部を印刷しているため、挿入時に印刷面の損傷もなく、洗浄して再利用可能な形態にでき、広告媒体としての継続性の問題や二次元バーコードの誤認識の問題や食品衛生法の問題点を解決できる。【００２１】  請求項３の発明によれば、空洞部に挿入する部材の外平面にマイナスの段差を設け、宣伝部と広告部とバーコード部を印刷しているため、挿入時に印刷面の損傷もなく、洗浄して再利用可能な形態にでき、広告媒体としての継続性の問題や二次元バーコードの誤認識の問題や食品衛生法の問題点を解決できる。【００２２】  請求項４の発明によれば、テーパー状の空洞部１８とテーパーに適合させた角柱部１９により、空洞部に挿入する部材の外平面にマイナスの段差を設けることなく印刷でき、挿入時に印刷面の損傷もなく、洗浄して再利用可能な形態にでき、広告媒体としての継続性の問題や二次元バーコードの誤認識の問題や食品衛生法の問題点を解決できる。【００２３】  請求項５の発明によれば、バーコード部を空洞部に挿入する部材本体側面や蓋に移動することにより、限られた表示面を有効に活用でき、さらなる広告宣伝効果の向上が期待できる。
【発明を実施するための最良の形態】
【００２４】  以下、本発明の実施形態を図１〜図５を参照して詳細に説明する。図１は本発明の持ち手部分を広告スペースとして用いる広告宣伝入り食事用具全体を示す外見図、図２は本発明の実施例１で使用する持ち手部分を広告スペースとして用いる広告宣伝入り食事用具の持ち手部分を示す正面図と側面図、図３は本発明の実施例２で使用する持ち手部分を広告スペースとして用いる広告宣伝入り食事用具の持ち手部分を示す他の形状の斜視図、図４は本発明の実施例３で使用する持ち手部分を広告スペースとして用いる広告宣伝入り食事用具の持ち手部分を示す他の形状の斜視図、図５は本発明の実施例４で使用する持ち手部分を広告スペースとして用いる広告宣伝入り食事用具の持ち手部分を示す他の形状の斜視図である。【００２５】  図１に示す箸本体１及びスプーン本体２及びフォーク本体３には、それぞれに持ち手部分４が設けられている。それぞれの持ち手部分４は、透明な樹脂材料が成型機により形成され、箸では細く、スプーン及びフォークでは太く、それぞれの形状に最適な持ち手部分４としている。【００２６】  実施例１として図２に示す持ち手部４Ａは、切りかき部５と切りかき部を埋める蓋６を設けた透明な樹脂で構成され、蓋６の四方側面に０．２ｍｍ〜０．３ｍｍの縁７を設けた凹状の面を形成し、切りかき部５の表面に宣伝部８と広告部９とバーコード部１０（商標：ＱＲコードを含む）が印刷されている。切りかき部５に蓋６を合わせ超音波溶着又は接着剤を用いて一体化すと、縁７が切りかき部５の表面と接合され宣伝部８と広告部９とバーコード部１０が外部と隔離される。【００２７】  図２には示していないが、切りかき部５と切りかき部を埋める蓋６部を上下二面に設けることにより、宣伝部８とバーコード部１０の組合せや広告部９とバーコード部１０の組合せが可能となり、宣伝部８あるいは、広告部９のどちらかを一面に表示ができ、限られた表示面が有効に活用され、さらなる広告宣伝効果の向上ができる。【００２８】  実施例２として図３に示す持ち手部４Ｂは、空洞部１１と空洞部に挿入する円柱部１２と蓋１３を設けた透明な樹脂で構成され、円柱部１２の印刷面とする部分に−０．１ｍｍ〜−０．２ｍｍの段差を設けた形状とし、段差を設けた部分に宣伝部８と広告部９とバーコード部１０（商標：ＱＲコードを含む）が印刷されている。空洞部１１に円柱部１２を挿入した後、側面に蓋１３を超音波溶着又は接着剤を用いて一体化すると、段差を設けた部分に宣伝部８と広告部９とバーコード部１０が印刷されているため、印刷が挿入時に損なわれることなく外部と隔離される。【００２９】  図３には示していないが、円柱部１２の印刷面とする部分を三ヶ所設けることにより、宣伝部８や広告部９やバーコード部１０を一面に表示ができ、限られた表示面が有効に活用され、さらなる広告宣伝効果の向上ができる。【００３０】  実施例３として図４に示す持ち手部４Ｃは、空洞部１４と空洞部に挿入する角柱部１５と蓋１６を設けた透明な樹脂で構成され、角柱部１５の印刷面とする部分に−０．１ｍｍ〜−０．２ｍｍの段差を設けた形状とし、段差を設けた部分に宣伝部８と広告部９とバーコード部１０（商標：ＱＲコードを含む）が印刷されてい���。空洞部１４に角柱部１５を挿入した後、側面に蓋１６を超音波溶着又は接着剤を用いて一体化すると、段差を設けた部分に宣伝部８と広告部９とバーコード部１０が印刷されているため、印刷が挿入時に損なわれることなく外部と隔離される。また、図４では持ち手部４Ｃを四角形の形状としたが、五角形や６角形とすることもできる。【００３１】  図４には示していないが、角柱部１５の印刷面とする部分を三面に設けることにより、宣伝部８や広告部９やバーコード部１０を一面に表示ができ、限られた表示面が有効に活用され、さらなる広告宣伝効果の向上ができる。【００３２】  また、円柱部１２又は角柱部１５のバーコード部１０を、円柱部１２又は角柱部１５の本体側面バーコード部１０Ａや蓋１３又は蓋１６の側面蓋バーコード部１０Ｂに移動して印刷することにより、限られた表示面が有効に活用され、さらなる広告宣伝効果の向上ができる。【００３３】  実施例４として図５に示す本体部に設けた蓋１７と二分割された持ち手部４Ｄは、入り口が広く後端部が狭いテーパー状の空洞部１８と空洞部のテーパーに適合させた角柱部１９と本体部に設けた蓋１７で構成され、空洞部に挿入する部材の外平面にマイナスの段差を設けることなく、角柱部１９の印刷面とする部分に宣伝部８と広告部９とバーコード部１０（商標：ＱＲコードを含む）が印刷されている。空洞部１８に角柱部１９を挿入した後、本体部に設けた蓋１７を超音波溶着又は接着剤を用いて一体化すると、テーパー状に形成されているため、印刷が挿入時に損なわれることなく外部と隔離される。【００３４】  図５には示していないが、角柱部１９の印刷面とする部分を三面に設けることにより、宣伝部８や広告部９やバーコード部１０を一面に表示ができ、限られた表示面が有効に活用され、さらなる広告宣伝効果の向上ができる。
【図面の簡単な説明】
【００３５】
【図１】本発明の持ち手部分を広告スペースとして用いる広告宣伝入り食事用具全体を示す外見図である。
【図２】本発明の実施例１で使用する持ち手部分を広告スペースとして用いる広告宣伝入り食事用具の持ち手部分を示す正面図と側面図である。
【図３】本発明の実施例２で使用する持ち手部分を広告スペースとして用いる広告宣伝入り食事用具の持ち手部分を示す他の形状の斜視図である。
【図４】本発明の実施例３で使用する持ち手部分を広告スペースとして用いる広告宣伝入り食事用具の持ち手部分を示す他の形状の斜視図である。
【図５】本発明の実施例４で使用する持ち手部分を広告スペースとして用いる広告宣伝入り食事用具の持ち手部分を示す他の形状の斜視図である。
【符号の説明】
【００３６】１      箸本体
２      スプーン本体
３      フォーク本体
４      持ち手部分
４Ａ    持ち手部
４Ｂ    持ち手部
４Ｃ    持ち手部
４Ｄ    持ち手部
５      切りかき部
６      蓋
７      縁
８      宣伝部
９      広告部
１０    バーコード部
１０Ａ  挿入方向と反対の側面バーコード部
１０Ｂ  バーコード部
１１    空洞部
１２    円柱部
１３    蓋
１４    空洞部
１５    角柱部
１６    蓋
１７    本体部と一体化された蓋１７
１８    テーパー状の空洞部
１９    テーパーに適合させた角柱部
【図１】
0005435373.tif 000002
【図２】
0005435373.tif 000003
【図３】
0005435373.tif 000004
【図４】
0005435373.tif 000005
【図５】
0005435373.tif 000006